【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
第一の色再現範囲内の画像データをガマットマッピングして第二の色空間の画像データに変換する変換工程を有し、
前記第一の色再現範囲は所定の色度図上で、第二の色再現範囲を包含するような三原色の点の組み合わせにより定義される色再現範囲であることを特徴とする画像処理方法。
【請求項２】
前記第一の色再現範囲は、前記三原色の点に加え基準とする白点を包含し、前記色度図は、ＣＩＥ−ＸＹＺ表色系で定められることを特徴とする請求項１に記載の画像処理方法。
【請求項３】
前記三原色の点は、前記第二の色再現範囲を包含した上で前記第一の色再現範囲の体積を最小にするように規定されることを特徴とする請求項１に記載の画像処理方法。
【請求項４】
前記ガマットマッピングは、前記第一の色再現範囲内の画像データを、該画像データと色空間上の所定点を結んだ線分上であって、第二の色再現範囲内の画像データに変換する処理であることを特徴とする請求項１に記載の画像処理方法。
【請求項５】
第一の色再現範囲内の画像データをガマットマッピングして第二の色空間内の画像データに変換する変換工程を有し、
前記第一の色再現範囲の形状は、前記第二の色再現範囲の形状に基づき決定されることを特徴とする画像処理方法。
【請求項６】
前記第二の色再現範囲の形状に応じて、前記第一の色再現範囲上の点を移動させることで、前記第一の色再現範囲を決定することを特徴とする請求項５に記載の画像処理方法。
【請求項７】
前記ガマットマッピングは、前記第一の色再現範囲内の画像データを該画像データと色空間上の所定点を結んだ線分上であって、第二の色再現範囲内の画像データに変換する処理であることを特徴とする請求項５に記載の画像処理方法。
【請求項８】
前記第一の色再現範囲は所定の色度図上で、第二の色再現範囲を包含するような三原色の点の組み合わせと基準とする白点で定義される色再現範囲であり、
前記三原色の点と基準とする白点は、ＣＩＥ−ＸＹＺ表色系で定められる値で定義されることを特徴とする請求項５に記載の画像処理方法。
【請求項９】
前記三原色の点は、前記第二の色再現範囲を包含した上で前記第一の色再現範囲の体積が最小とするように規定されることを特徴とする請求項８に記載の画像処理方法。
【請求項１０】
前記第一の色再現範囲において移動させた点が、三点以上の場合、最小自乗法を用いて、第一の色再現範囲を計算することによって前記第一の色再現範囲が決定されることを特徴とする請求項６に記載の画像処理方法。
【請求項１１】
記憶媒体に格納されたコンピュータにより処理されるプログラムであって、
第一の色再現範囲内の画像データをガマットマッピングして第二の色空間の画像データに変換する変換コードを有し、
前記第一の色再現範囲は所定の色度図上で、第二の色再現範囲を包含するような三原色の点の組み合わせにより定義される色再現範囲であることを特徴とするプログラム。
【請求項１２】
記憶媒体に格納されたコンピュータにより処理されるプログラムであって、
第一の色再現範囲内の画像データをガマットマッピングして第二の色空間内の画像データに変換する変換コードを有し、
前記第一の色再現範囲の形状は、前記第二の色再現範囲の形状に基づき決定されることを特徴とするプログラム。
【請求項１３】
第一の色再現範囲内の画像データをガマットマッピングして第二の色空間の画像データに変換する変換手段を具え、
前記第一の色再現範囲は所定の色度図上で、第二の色再現範囲を包含するような三原色の点の組み合わせにより定義される色再現範囲であることを特徴とする画像処理装置。
【請求項１４】
第一の色再現範囲内の画像データをガマットマッピングして第二の色空間内の画像データに変換する変換手段を具え、
前記第一の色再現範囲の形状は、前記第二の色再現範囲の形状に基づき決定されることを特徴とする画像処理装置。
【手続補正２】
【補正対象書類名】明細書
【補正対象項目名】発明の名称
【補正方法】変更
【補正の内容】
【発明の名称】画像処理方法および画像処理装置
【手続補正３】
【補正対象書類名】明細書
【補正対象項目名】０００１
【補正方法】変更
【補正の内容】
【０００１】
本発明は、画像処理方法および画像処理装置に関し、詳しくは、プロファイルを介した色変換において用いられる、デバイスに依存しない色空間の規定の仕方に関するものである。
【手続補正４】
【補正対象書類名】明細書
【補正対象項目名】００２１
【補正方法】変更
【補正の内容】
【００２１】
本発明は、以上の問題を解決するためになされたものであり、その目的とするところは、作業色空間の形状などに起因してガマットマッピングによって生じる、色再現にまつわる不都合を回避し良好な色再現を可能とする画像処理方法および画像処理装置を提供することにある。
【手続補正５】
【補正対象書類名】明細書
【補正対象項目名】００２２
【補正方法】変更
【補正の内容】
【００２２】
そのために本発明では、画像処理方法において、第一の色再現範囲内の画像データをガマットマッピングして第二の色空間の画像データに変換する変換工程を有し、前記第一の色再現範囲は所定の色度図上で、第二の色再現範囲を包含するような三原色の点の組み合わせにより定義される色再現範囲であることを特徴とする。
【手続補正６】
【補正対象書類名】明細書
【補正対象項目名】００２３
【補正方法】変更
【補正の内容】
【００２３】
他の態様では、画像処理方法において、第一の色再現範囲内の画像データをガマットマッピングして第二の色空間内の画像データに変換する変換工程を有し、前記第一の色再現範囲の形状は、前記第二の色再現範囲の形状に基づき決定されることを特徴とする。
【手続補正７】
【補正対象書類名】明細書
【補正対象項目名】００２４
【補正方法】変更
【補正の内容】
【００２４】
また、画像処理装置において、第一の色再現範囲内の画像データをガマットマッピングして第二の色空間の画像データに変換する変換手段を具え、前記第一の色再現範囲は所定の色度図上で、第二の色再現範囲を包含するような三原色の点の組み合わせにより定義される色再現範囲であることを特徴とする。
【手続補正８】
【補正対象書類名】明細書
【補正対象項目名】００２５
【補正方法】変更
【補正の内容】
【００２５】
他の形態では、画像処理装置において、第一の色再現範囲内の画像データをガマットマッピングして第二の色空間内の画像データに変換する変換手段を具え、前記第一の色再現範囲の形状は、前記第二の色再現範囲の形状に基づき決定されることを特徴とする。
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】変更
【補正の内容】
【００３１】
以上の構成によれば、第一の色再現範囲を、当該第１色再現範囲をガマットマッピングして第二の色再現範囲に変換する場合に、前記第一の色再現範囲が所定の色度図上で、第二の色再現範囲を包含するような三原色の点の組み合わせにより定義されるので、作業色空間の第一の色再現範囲に対してガマットマッピングを行ったときに、第二の色再現範囲を持つ出力デバイスが再現できる色の一部を切り捨てることなく総ての色に写像することができる。これにより、プリンタの色再現範囲を総て有効に使うことが可能となる。
【手続補正１５】
【補正対象書類名】明細書
【補正対象項目名】００３２
【補正方法】削除
【補正の内容】